(57)【特許請求の範囲】
【請求項１】
固体撮像デバイスと、該固体撮像デバイスの出力信号を増幅する増幅器と、該増幅器のアナログ出力信号をデジタル信号に変換するＡ／Ｄ変換回路と、該Ａ／Ｄ変換回路のデジタル出力信号のフィードスルー部分と直後の映像信号部分との減算処理により雑音を除去するデジタル化相関二重サンプリング回路を備え、
前記デジタル化相関二重サンプリング回路が、前記映像信号部分に任意値の直流信号が加算されてなることを特徴とする固体撮像デバイス信号処理装置。
【請求項２】
前記映像信号部分に加算された任意値の直流信号が、１フレーム単位で可変制御されてなることを特徴とする請求項１に記載の固体撮像デバイス信号処理装置。
【請求項３】
前記映像信号部分に加算された任意値の直流信号が、前記映像信号部分ごとに可変制御されてなることを特徴とする請求項１又は２に記載の固体撮像デバイス信号処理装置。
【請求項４】
前記デジタル化相関二重サンプリング回路が、前記映像信号部分に加算された任意値の直流信号及び番地を記憶するフレームメモリを備えてなることを特徴とする請求項１〜３のいずれか１項に記載の固体撮像デバイス信号処理装置。
【請求項５】
前記デジタル化相関二重サンプリング回路が、前記映像信号部分に加算された任意値の直流信号を前記Ａ／Ｄ変換回路の出力後のデジタル信号に加算してなることを特徴とする請求項１〜４のいずれか１項に記載の固体撮像デバイス信号処理装置。
【請求項６】
前記映像信号部分に加算された任意値の直流信号が、映像信号の黒レベルに相当する直流電位であることを特徴とする請求項１〜５のいずれか１項に記載の固体撮像デバイス信号処理装置。
【請求項７】
前記映像信号部分に加算された直流信号の任意値が、映像信号に含まれる雑音の最大値又はそれ以上の直流電位であることを特徴とする請求項１〜６のいずれか１項に記載の固体撮像デバイス信号処理装置。
【発明の詳細な説明】
【技術分野】
【０００１】
本発明は固体撮像デバイスの信号処理に係わり、特にデジタル化された相関二重サンプリング回路を用いた固体撮像デバイス信号処理装置に関する。
【背景技術】
【０００２】
一般に固体撮像デバイス（以後、ＣＣＤと記述）を用いたテレビカメラのＣＣＤと相関二重サンプリング回路に関する従来例を図５及び図６に示す。
図５に示す従来例の固体撮像デバイス信号処理装置ブロック図において、ＣＣＤ１にはバイアス電源入力端子１ａにバイアス電源、駆動パルス入力端子１ｂに駆動パルスが供給される。また、タイミング信号発生回路（以後、ＴＳＧと記述）２で生成されたリセットパルス及び読み出しパルスが供給されてＣＣＤ１は周知の如く作動する。
【０００３】
図６に示す従来例の固体撮像デバイスの出力波形図において、ＣＣＤ１から光電変換され出力されたアナログ出力信号は、図に示すように、リセット期間ｔＲ、フィードスルーの０レベル期間ｔＦ、映像信号期間ｔＳの３つが繰り返す出力信号が得られる。該出力信号のフィードスルーの０レベル期間ｔＦと映像信号期間ｔＳに含まれるリセット電位のゆらぎは互いに相関を持っている。
【０００４】
これら二つのサンプル値の差を求めてリセットノイズの影響を除くため、ＣＣＤの出力信号を、増幅器３を介して相関二重サンプリング回路４へ供給する。
【０００５】
増幅されたＣＣＤの出力信号はフィードスルーＳ／Ｈ（サンプルホールド）４ａ及び映像信号Ｓ／Ｈ４ｂへ入力され、ＴＳＧ２から出力されたフィードスルーサンプルパルスにより所定のタイミングでフィードスルー期間内をサンプルホールドしたフィードスルーレベル信号が差動増幅器４ｃの−端子に加えられる。
【０００６】
一方、ＴＳＧ２から出力された映像信号サンプルパルスにより所定のタイミングで映像信号期間ｔＳの期間内を映像信号Ｓ／Ｈ４ｂでサンプルホールドした映像信号が差動増幅器４ｃの＋端子へ加えられ、差動増幅器４ｃの出力にはそれぞれに含まれる相関したリセットノイズがうち消されて、差動増幅器４ｃの出力にはリセットノイズが除去されたアナログ映像信号が得られる。
【０００７】
差動増幅器４ｃから出力された映像信号は、増幅器５で適正化されてアナログ／デジタル（Ａ／Ｄ）変換回路６へ加えられ、Ａ／Ｄ変換回路６はＴＳＧ２からのＡ／Ｄクロックパルスにしたがってデジタル信号に変換する。
【０００８】
前記Ａ／Ｄ変換回路６から出力されたデジタル信号は、ＴＳＧ２から出力されたＤＳＰクロックパルスで作動するデジタル信号処理回路７で、所定の方式に従ったデジタル映像信号に形成されて出力端子８から出力される。
【特許文献１】特許公開２０００−１３６９１号公報
【発明の開示】
【発明が解決しようとする課題】
【０００９】
従来例で示した如く、アナログ方式の相関二重サンプリング回路では、各画素ごとにフィードスルーレベルのｔＦ期間をサンプルホールドするフィードスルーＳ／Ｈ回路と、同様に、各画素ごとに映像信号のｔＳ期間をサンプルホールドする映像信号Ｓ／Ｈ回路と、差動増幅器など個別部品で組み立てられたアナログ回路が多用され小型化が困難であった。
【００１０】
また、Ｓ／Ｈ回路での半導体部品の電極間容量等に起因するドループ等の発生による信号レベルの精度劣化や、回路構成の複雑さから回路雑音も無視できなかった。
【００１１】
さらに、相関二重サンプリング回路を利用した、ＣＣＤ特有のキズ補正及びシェーディング補正等複数の機能を付加したデジタル化相関二重サンプリング回路を提供する。
【課題を解決するための手段】
【００１２】
本願発明者は、上記に鑑み鋭意研究の結果、次の手段によりこの課題を解決した。
（１）固体撮像デバイスと、該固体撮像デバイスの出力信号を増幅する増幅器と、該増幅器のアナログ出力信号をデジタル信号に変換するＡ／Ｄ変換回路と、該Ａ／Ｄ変換回路のデジタル出力信号のフィードスルー部分と直後の映像信号部分との減算処理により雑音を除去するデジタル化相関二重サンプリング回路を備え、前記デジタル化相関二重サンプリング回路が、前記映像信号部分に任意値の直流信号が加算されてなることを特徴とする固体撮像デバイス信号処理装置。
【００１３】
（２）前記映像信号部分に加算された任意値の直流信号が、１フレーム単位で可変制御されてなることを特徴とする前項（１）に記載の固体撮像デバイス信号処理装置。
【００１４】
（３）前記映像信号部分に加算された任意値の直流信号が、前記映像信号部分ごとに可変制御されてなることを特徴とする前項（１）又は（２）に記載の固体撮像デバイス信号処理装置。
【００１５】
（４）前記デジタル化相関二重サンプリング回路が、前記映像信号部分に加算された任意値の直流信号及び番地を記憶するフレームメモリを備えてなることを特徴とする前項（１）〜（３）のいずれか１項に記載の固体撮像デバイス信号処理装置。
【００１６】
（５）前記デジタル化相関二重サンプリング回路が、前記映像信号部分に加算された任意値の直流信号を前記Ａ／Ｄ変換回路の出力後のデジタル信号に加算してなることを特徴とする前項（１）〜（４）のいずれか１項に記載の固体撮像デバイス信号処理装置。
【００１７】
（６）前記映像信号部分に加算された任意値の直流信号が、映像信号の黒レベルに相当する直流電位であることを特徴とする前項（１）〜（５）のいずれか１項に記載の固体撮像デバイス信号処理装置。
【００１８】
（７）前記映像信号部分に加算された直流信号の任意値が、映像信号に含まれる雑音の最大値又はそれ以上の直流電位であることを特徴とする前項（１）〜（６）のいずれか１項に記載の固体撮像デバイス信号処理装置。
【発明の効果】
【００１９】
本願発明によれば、次のような効果が発揮される。
１．本願発明の請求項１の発明によれば、
前記デジタル化相関二重サンプリング回路が、前記映像信号部分に任意値の直流信号が加算され、前記映像信号部分からフィードスルー部分を減算処理しているので、固体撮像デバイスの光電変換された出力信号において、入射光が無く無信号の場合に、相関二重サンプリングによって映像信号期間が零レベルとなっても、例えば、前記任意値の直流信号として雑音の最大値以上の直流電位を付加することにより、前記映像信号部分に重畳されている相関していない固体撮像デバイスの画素感度不揃いに起因した固定パターン雑音、ショット雑音、増幅器等に起因するその他の雑音など前記デジタル信号処理回路より後段のデジタル信号処理では負の補数信号処理が不要となり、デジタル信号処理が容易になると同時に回路の簡素化を図ることができる。また、本回路以降におけるＡ／Ｄ変換等デジタル信号処理回路での黒つぶれ等の誤作動を防止することが可能となる。
【００２０】
また、複数のサンプルホールド回路、増幅器を省略できるため、回路が簡素化され、そのためにサンプルホールド回路のドループ等アナログ回路特有の問題もなく、さらに低雑音化して信号レベルの高精度化と、装置の小型化を図ることができる。
【００２１】
２．本願発明の請求項２の発明によれば、
前項の効果に加えて、前記映像信号部分に加算された任意値の直流信号を１フレーム単位で可変制御できるので、３ＣＣＤカメラ等におけるＲ，Ｇ，Ｂ回路それぞれの前記任意の信号レベルを制御することによってＲ，Ｇ，Ｂ信号の黒レベルを合致させることができる。このためＲ，Ｇ，Ｂ回路それぞれに黒レベルを制御する回路を特別に設ける必要が無く回路の簡素化と低コスト化が図れる。
【００２２】
３．本願発明の請求項３の発明によれば、
前項１及び２の効果に加えて、前記映像信号部分に加算された任意値の直流信号を前記映像信号部分ごとに可変制御できるので、固体撮像デバイスの白キズ又は黒キズ等画素欠陥が生じても、画素ごとに前記任意値の直流信号を制御して目立たない傷補正された画面構成とすることができる。このため固体撮像デバイスごとに必要であったそれぞれの画素欠陥補正回路を特別に設ける必要が無く回路の簡素化と低コスト化が図れる。
【００２３】
また、特に航空機等を利用した輸送途上で宇宙線のため新たに白キズ又は黒キズ等画素欠陥が発生しても現地で再補正可能であり、固体撮像デバイスの交換・再調整等の作業を省略でき大幅なコストダウンと納期短縮が図れる。
【００２４】
さらに、前記傷補正と同様の方法で、ＣＣＤの固定パターン雑音を補正することも可能である。
【００２５】
さらにまた、固体撮像デバイス自身にシェーディングがあっても、画素ごとに前記任意値の直流信号を制御して目立たない画面構成とすることができる。このため固体撮像デバイスごとに必要であったそれぞれのシェーディング補正回路を特別に設ける必要が無く回路の簡素化と低コスト化が図れる。
【００２６】
４．本願発明の請求項４の発明によれば、
前項１〜３の効果に加えて、前記映像信号部分に加算された任意値の直流信号及び番地を記憶するフレームメモリを備えているので、前記オフセット電位付加、Ｒ，Ｇ，Ｂ回路それぞれの黒レベル補正、固体撮像デバイス自身のシェーディング及び画素欠陥等を補正するための前記任意値の直流信号及び番地をフレームメモリに記憶しておき、前記記憶された任意値の直流信号及び番地をＣＣＤ駆動に同期させて読み出し、前記デジタル化相関二重サンプリング処理によりＲ，Ｇ，Ｂ回路それぞれの黒レベル等を自動補正することができる。
このため、Ｒ，Ｇ，Ｂ回路それぞれに黒レベル等の補正回路を特別に設ける必要が無いため回路の簡素化と低コスト化が図れる。
【００２７】
さらに、固体撮像デバイス自身のシェーディングを補正するための前記任意値の直流信号及び番地をフレームメモリに記憶しておき、前記記憶された任意値の直流信号及び番地をＣＣＤ駆動に同期させて読み出し、前記デジタル化相関二重サンプリング処理によりシェーディングを自動補正し、目立たない画像構成とすることができ、従来、固体撮像デバイスごとに必要であったそれぞれのシェーディング補正回路を特別に設ける必要が無いため回路の簡素化と低コスト化が図れる。
【００２８】
５．本願発明の請求項５の発明によれば、
前項１〜４の効果に加えて、前記映像信号部分に加算された任意値の直流信号を前記Ａ／Ｄ変換回路の出力後のデジタル信号に加算しているので、前記Ａ／Ｄ変換回路以降におけるデジタル信号処理を誤作動無く、かつ高精度で行われるため、調整回路の簡素化と調整作業の省略化ができコスト低減化が図れる。
【００２９】
６．本願発明の請求項６の発明によれば、
前項１〜５の効果に加えて、前記映像信号部分に加算された任意値の直流信号が、映像信号の黒レベルに相当する直流電位なので、ＣＣＤの遮光されたオプチカルブラック部分の出力信号を検出し、前記映像信号部分に加算する任意値の直流信号を帰還制御することにより、ＣＣＤの動作温度変化による暗電圧の変化を自動補正し、映像信号の黒レベルを安定化することができる。
【００３０】
７．本願発明の請求項７の発明によれば、
前項１〜６の効果に加えて、前記映像信号部分に加算された直流信号の任意値が、映像信号に含まれる雑音の最大値又はこれに近似する直流電位なので、固体撮像デバイスの光電変換された出力信号において、入射光が無く無信号の場合に、相関二重サンプリングによって映像信号期間が零レベルとなっても、例えば、前記任意値の直流信号として雑音の最大値以上の直流電位を付加することにより、前記映像信号部分に重畳されている相関していない固体撮像デバイスの画素感度不揃いに起因した固定パターン雑音、ショット雑音、増幅器等に起因するその他の雑音など、前記デジタル信号処理回路より後段のデジタル信号処理では負の補数信号処理が不要となり、デジタル信号処理が容易になると同時に回路の簡素化を図ることができる。
【発明を実施するための最良の形態】
【００３１】
本願発明の固体撮像デバイス信号処理装置の実施の形態を実施例の図に基づいて説明する。尚、図５〜図６に対応する部分には同一符号を付して示す。
図１は本願発明実施例の固体撮像デバイス信号処理装置ブロック図であり、図２は同発明実施例の固体撮像デバイスの出力波形とデジタル化信号波形図、図３は同発明実施例のデジタル化相関二重サンプリングと前記映像信号部に任意値の直流信号を加算する動作説明のための模式図であり、図４は同発明実施例のデジタル化相関二重サンプリングの模式化されたデジタル値による波形図、である。      
【００３２】
図１において、ＣＣＤ（固体撮像デバイス）１と、ＣＣＤ１の出力信号を増幅する増幅器５と、該増幅器５のアナログ出力信号をデジタル信号に変換するＡ／Ｄ変換回路６と、該Ａ／Ｄ変換回路６のデジタル出力信号のフィードスルー部分と直後の映像信号部分との減算処理により雑音を除去するデジタル化相関二重サンプリングを行うデジタル信号処理回路７と、ＣＣＤ１とＡ／Ｄ変換回路６及びデジタル信号処理回路７へ制御パルスを送出するＴＳＧ２で構成されている。
【００３３】
ＣＣＤ１にはバイアス電源入力端子１ａにバイアス電源、駆動パルス入力端子１ｂに駆動パルスが供給される。また、ＴＳＧ２で生成されたリセットパルス及び読み出しパルスが供給されてＣＣＤ１は周知の如く作動する。
【００３４】
ＣＣＤ１で光電変換されたアナログ信号は、増幅器５でＡ／Ｄ変換に必要な所定レベルに増幅されてＡ／Ｄ変換回路６へ入力され、ＴＳＧ２で生成されたＡ／Ｄクロックパルスで作動するＡ／Ｄ変換回路６は、前記アナログ信号をデジタル信号に変換し、デジタル信号処理回路７へ供給される。
【００３５】
前記デジタル信号処理回路７は、前記Ａ／Ｄ変換回路６からのデジタル信号を主として相関二重サンプリング回路を構成する信号処理用ＤＳＰ（デジタル・シグナル・プロセッサ）７ａと、フレームメモリ７ｃと、信号処理用ＤＳＰ７ａとフレームメモリ７ｃ及びＴＳＧ２等を制御するＣＰＵ７ｂとで構成され、ＴＳＧ２から供給されるＤＳＰクロックパルスで作動し、デジタル化された回路による相関二重サンプリング処理を行う。
【００３６】
図２において、前記ＣＣＤ１からの出力信号２２は、リセット期間ｔＲ、フィードスルーの０レベル期間ｔＦ、映像信号期間ｔＳの３つの期間２１が１，２〜ｎ番目まで繰り返している。この出力信号２２において、フィードスルーの０レベル期間ｔＦに含まれるリセットノイズと映像信号期間ｔＳに含まれるリセットノイズのリセット電位のゆらぎは互いに相関を持っている。
【００３７】
アナログ信号である前記ＣＣＤ１の出力信号２２はＡ／Ｄ変換回路へ入力され、２倍のサンプリング周波数でＡ／Ｄクロックパルス２３の立ち上がりｐＦでフィードスルーの０レベル期間ｔＦをリセットし、また、立ち上がりｐＳで映像信号期間ｔＳをリセットしてオーバーサンプリング処理を行いデジタル信号に変換する。
【００３８】
このように前記ＣＣＤ１からの出力信号２２のフィードスルーの０レベル期間ｔＦ及び映像信号期間ｔＳをリセットしＡ／Ｄ変換すると、２４に示すようにＦ０、Ｓ０、Ｆ１、Ｓ１、Ｆ２、Ｓ２、〜Ｆｎ、Ｓｎの順次デジタル変換信号２４が得られる。
【００３９】
ここで、前記順次デジタル変換信号２４のフィードスルーの０レベル期間ｔＦと、映像信号期間ｔＳに含まれるリセットノイズは、前述のとおり互いに相関を持っている。
【００４０】
図３のデジタル化相関二重サンプリングと前記映像信号部に任意値の直流信号を加算する動作説明のための模式図において、Ａ／Ｄ変換回路６で２倍のサンプリング周波数でオーバーサンプリング処理されデジタル信号化された出力信号の前記Ｆ０、Ｓ０、Ｆ１、Ｓ１、Ｆ２、Ｓ２〜Ｆｎ＋２、Ｓｎ＋２の順次デジタル変換信号３１（図２の順次デジタル変換信号２４に同じ）の映像信号期間ｔＳの信号Ｓ０、Ｓ１、Ｓ２〜Ｓｎ＋２は、それぞれ加算器３２の端子に加えられる。      
【００４１】
一方、画素ごとに対応し、かつそれぞれ任意値の直流信号レベルに設定されデジタル信号化された任意値の直流信号３５が前記加算器３２の他の端子に加えられ、前記映像信号期間ｔＳの信号Ｓ０、Ｓ１、Ｓ２〜Ｓｎ＋２に加算される。
【００４２】
また、Ａ／Ｄ変換回路６のデジタル信号化された出力信号の前記順次デジタル変換信号３１におけるフィードスルーの０レベル期間ｔＦの信号Ｆ０、Ｆ１、Ｆ２〜Ｆｎ＋２は、それぞれ減算器３３の端子に加えられ、一方、前記加算器３２から出力された任意値の直流信号が加算された前記Ｓ０、Ｓ１、Ｓ２〜Ｓｎ＋２信号が減算器３３の他の端子に加えられ、その結果、減算器３３の出力には相関二重サンプリング処理された映像信号３４のＶＳ０，ＶＳ１〜ＶＳｎ＋２が得られる。
【００４３】
サンプリング周波数の２倍のクロックパルスであるＡ／Ｄクロックパルスでオーバーサンプリング処理された前記Ｆ０、Ｆ１、Ｆ２〜Ｆｎ＋２信号及び前記Ｓ０、Ｓ１、Ｓ２〜Ｓｎ＋２信号のそれぞれの順次デジタル変換信号３１は減算器３３で前記相関二重サンプリング処理され、サンプリング周波数でデジタル信号化され、かつ任意値の直流信号が加算された標準方式の映像信号３４が得られる。      
【００４４】
図４はデジタル化相関二重サンプリングの模式化されたデジタル値による波形図で、ＣＣＤ１が明部を撮像した場合と、暗部を撮像した場合の前記デジタル信号処理回路７におけるデジタル変換値レベルについて説明する。
【００４５】
前記ＣＣＤ１の出力信号４０（図２の出力信号２２に相当）は、リセット期間ｔＲ、フィードスルーの０レベル期間ｔＦ、映像信号期間ｔＳの３つの期間で構成されいて、ＣＣＤ１が明部を撮像した場合の期間４６及び暗部を撮像した場合の期間４７において、４８はゼロレベル（０ＬＳＢに相当）、４９はＡ／Ｄ変換回路６の所定の入力レンジに合わせたときのＡ／Ｄ変換時のデジタル信号の上限レベルに相当し、例えば、１０ビットのＡ／Ｄ変換回路の場合は１０２３ＭＳＢとなる。５０はＡ／Ｄ変換レンジを示す。
【００４６】
また、４１は明時フィードスルーの０レベルを示し、４２は明時映像信号レベルを示し、４３は明時の映像信号レンジを示している。
【００４７】
４４は暗時フィードスルーの０レベルを示し、４５は暗時映像信号レベルを示している。
【００４８】
前述のとおり、アナログ信号である前記ＣＣＤ１の出力信号４０は、デジタル信号に変換するＡ／Ｄクロックパルス５１の立ち上がりｐＦでフィードスルーの０レベル期間ｔＦをサンプルホールドし、また、立ち上がりｐＳで映像信号期間ｔＳをサンプルホールドする。
【００４９】
Ａ／Ｄクロックパルス５１の立ち上がりｐＦでサンプルホールドされた明時フィードスルーの０レベル期間ｔＦはデジタル化されて５０ＬＳＢのデジタル信号レベル５２を有するデジタル変換値Ｆ１となり、また、立ち上がりｐＳでサンプルホールドされた明時映像信号期間ｔＳはデジタル化されて前記デジタル変換値Ｆ１と相関する雑音（Ｆ１）と、任意値の直流信号のデジタル変換値Ｓ２を含む明時映像信号レベル５３のデジタル変換値Ｓ１となる。５４は明時映像デジタル信号レンジである。
【００５０】
同様に、Ａ／Ｄクロックパルス５１の立ち上がりｐＦでサンプルホールドされた暗時フィードスルーの０レベル期間ｔＦはデジタル化されて５０ＬＳＢのデジタル信号レベル５５を有するデジタル変換値Ｆ２となり、また、立ち上がりｐＳでサンプルホールドされた暗時映像信号期間ｔＳはデジタル化されてデジタル変換値Ｆ２と相関する雑音（Ｆ２）と、任意値の直流信号のデジタル変換値Ｓ２を含む暗時映像デジタル信号レベル５６となる。
【００５１】
ここで、それぞれのデジタル変換値Ｆ１と（Ｆ１）＋Ｓ１、Ｆ２と（Ｆ２）＋Ｓ２は、図３で説明したように相関二重サンプリング処理され、かつ任意値の直流信号のデジタル変換値Ｓ２が加算された標準方式の映像信号３４のＶＳ０，ＶＳ１〜ＶＳｎ＋２が得られる。
【００５２】
この結果、前記暗時映像信号レベル５６には任意値の直流信号のデジタル変換値Ｓ２が加算されているため、減算器３３で相関二重サンプリング処理されて暗時映像デジタル信号レベル５６からデジタル変換値（Ｆ２）が減算されても暗時映像信号には前記デジタル変換値Ｓ２が残っているため、デジタル信号の下限レベル５７の０ＬＳＢ以下には雑音が存在しない。
ここで５８はデジタル信号の上限レベル１０２３ＭＳＢであり、５９はデジタル信号の全領域を示す。
【００５３】
通常、映像信号の雑音成分には、相関していないＣＣＤの画素感度不揃いに起因した固定パターン雑音、ショット雑音、増幅器等に起因するその他の雑音が含まれ、これらの雑音は前記映像信号部分に重畳されているため、これら雑音の負の領域のデジタル信号処理では負の補数信号処理が必要になる。
【００５４】
しかし、本願発明では、前記映像信号部分には任意値の直流信号として、例えば、雑音の最大値以上のデジタル変換値が与えられていれば、前記デジタル信号処理回路７より後段のデジタル信号処理では負の補数信号処理が不要であり、デジタル信号処理が容易になると同時に回路の簡素化を図ることができる。
【００５５】
以上のデジタル化相関二重サンプリング処理の他、前記映像信号部分には任意値の直流信号を加算し、前記映像信号部分に加算された任意値の直流信号を１フレーム単位で可変制御できるので、３ＣＣＤカメラ等におけるＲ，Ｇ，Ｂ回路それぞれの前記任意値の直流信号を制御することによってＲ，Ｇ，Ｂ信号の黒レベルを合致させることができる。また、Ｒ，Ｇ，Ｂ信号３チャンネルの黒レベルを同時に制御することもできる。このためＲ，Ｇ，Ｂ回路それぞれに黒レベルを制御する回路を特別に設ける必要が無い。
【００５６】
また、前記映像信号部分に加算された任意値の直流信号を前記映像信号部分ごとにレベル制御できるので、図３において、固体撮像デバイスの画素単位の暗電圧（又は暗電流）不揃いに起因する傷現象の補正は、補正しようとする傷暗電圧レベルと傷番地を前記フレームメモリ７ｃ（図１参照）にメモリしておき、これを読み出して前記任意値の直流信号３５を制御し、加算器３２で加算又は減算（負信号を加算）処理すれば、画素ごとに白キズ又は黒キズ等画素欠陥を補正することにより傷の目立たない画面構成とすることができる。このため固体撮像デバイスごとに必要であったそれぞれの画素欠陥補正回路を特別に設ける必要が無い。      
【００５７】
さらに、前記傷補正と同様の方法で、ＣＣＤ１の固定パターン雑音を補正することもできる。
【００５８】
さらにまた、前記傷補正と同様に、固体撮像デバイス自身のシェーディングレベル及び番地を前記フレームメモリ７ｃ（図１参照）にメモリしておき、これを読み出して前記任意値の直流信号３５を制御し、加算器３２で減算処理（負信号を加算）すれば、シェーディングの無い画像構成とすることができ、従来、固体撮像デバイスごとに必要であったそれぞれのシェーディング補正回路を特別に設ける必要が無い。
【００５９】
以上の他に、前記映像信号部分に加算された任意値の直流信号が、映像信号の黒レベルに相当する直流電位なので、ＣＣＤの遮光されたオプチカルブラック部の複数の前記映像信号部分を積算して平均化処理し、前記映像信号部分に加算する任意値の直流信号を前記シェーディング補正と同様に帰還制御することにより、ＣＣＤの動作温度変化による暗電圧（又は暗電流）の変化を自動補正し、映像信号の黒レベルを安定化することができる。
【００６０】
前記映像信号部分に加算する任意値の直流信号を前記Ａ／Ｄ変換回路６の後段で付加する以外に、Ａ／Ｄ変換回路６を制御して加算してもよく、又は前記増幅器５にアナログ信号として加算してもよい。
【産業上の利用可能性】
【００６１】
本願発明は、相関二重サンプリング回路を単にデジタル化しただけでなく、その機能を利用してＣＣＤカメラに不可欠な複数の補正回路機能を兼用できるため、ＣＣＤカメラのさらなる小型化と、デジタル化による信頼性の向上と高性能化が図れるため、産業上の利用可能性大である。
【図面の簡単な説明】
【００６２】
【図１】本願発明実施例の固体撮像デバイス信号処理装置ブロック図。
【図２】同発明実施例の固体撮像デバイスの出力波形とデジタル化信号波形図。
【図３】同発明実施例のデジタル化相関二重サンプリングと前記映像信号部に任意値の直流信号を加算する動作説明のための模式図。
【図４】同発明実施例のデジタル化相関二重サンプリング回路の模式化されたデジタル値による波形図。
【図５】従来例の固体撮像デバイス信号処理装置ブロック図。
【図６】従来例の固体撮像デバイスの出力波形図。
【符号の説明】
【００６３】
１：固体撮像デバイス（ＣＣＤ）      １ａ：バイアス電源入力端子
１ｂ：駆動パルス入力端子            ２：タイミング信号発生回路（ＴＳＧ）
３，５：増幅器                      ４：相関二重サンプリング回路
６：Ａ／Ｄ変換回路                  ７：デジタル信号処理回路
７ａ：信号処理用ＤＳＰ              ７ｂ：ＣＰＵ
７ｃ：フレームメモリ                ８：出力端子
２１：３つの期間                    ２２：出力信号
２３：Ａ／Ｄクロックパルス          ２４、３１：順次デジタル変換信号
３２：加算器                        ３３：減算器
３４：相関二重サンプリング処理された映像信号
３５：任意値の直流信号              ４０：出力信号
４１：明時フィードスルーの０レベル  ４２：明時映像信号レベル
４３：明時の映像信号レンジ          ４４：暗時フィードスルーの０レベル
４５：暗時映像信号レベル            ４６：明部を撮像した場合の期間
４７：暗部を撮像した場合の期間      ４８：ゼロレベル
４９：Ａ／Ｄ変換時のデジタル信号の上限レベル
５０：Ａ／Ｄ変換レンジ              ５１：Ａ／Ｄクロックパルス
５２，５５：５０ＬＳＢのデジタル信号レベル
５３：明時映像デジタル信号レベル    ５４：明時映像デジタル信号レンジ
５６：暗時映像デジタル信号レベル    ５７：デジタル信号の下限レベル
５８：デジタル信号の上限レベル      ５９：デジタル信号の全領域
ｔＲ：リセット期間                  ｔＦ：フィードスルーの０レベル期間
ｔＳ：映像信号期間
Ｆ１，Ｆ２，Ｓ１，Ｓ２：デジタル変換値
【図１】
0004687864.tif 000002
【図２】
0004687864.tif 000003
【図３】
0004687864.tif 000004
【図４】
0004687864.tif 000005
【図５】
0004687864.tif 000006
【図６】
0004687864.tif 000007